(57)【特許請求の範囲】
【請求項１】
蓄熱水を貯留する蓄熱槽と、その蓄熱槽から取り出した蓄熱水を循環路にて循環させて蓄熱槽に戻す蓄熱水循環手段と、熱供給装置の排熱を搬送する排熱搬送流体にて前記循環路を通流する蓄熱水を加熱する排熱熱交換器と、その排熱熱交換器を通過した後の蓄熱水を放熱させる放熱用熱交換器とを設けている蓄熱放熱システムであって、
前記蓄熱槽から前記循環路に取り出した蓄熱水を前記排熱熱交換器をバイパスさせて前記放熱用熱交換器に供給する排熱熱交換器バイパス路と、その排熱熱交換器バイパス路に蓄熱水を供給する供給状態と供給しない非供給状態とに切換自在な供給状態切換手段と、前記排熱熱交換器バイパス路を通流する蓄熱水を加熱する補助加熱装置と、前記供給状態切換手段を供給状態と非供給状態とに切り換えて蓄熱水の循環状態を制御するとともに、前記補助加熱装置の運転を制御する運転制御手段とを設け、
前記補助加熱装置は、放熱を許容する非断熱状態にて設けてあり、
前記蓄熱槽、前記循環路、前記蓄熱水循環手段、前記排熱熱交換器、及び、前記放熱用熱交換器は、断熱材にて放熱を抑制する断熱空間内に収納されて断熱状態にて設けている蓄熱放熱システム。
【請求項２】
前記蓄熱槽は、上部を大気開放し且つ平面視で矩形状に形成してあり、
前記断熱空間は、前記蓄熱槽の矩形状の短辺に対応する側面部に設け、
前記断熱材は、前記蓄熱槽及び前記断熱空間の外周部を覆う状態で設けている請求項１に記載の蓄熱放熱システム。
【請求項３】
前記補助加熱装置と前記断熱空間とは、前記蓄熱槽の矩形状の短辺に対応する側面部において上下方向に並ぶ状態で配置されている請求項２に記載の蓄熱放熱システム。
【請求項４】
前記蓄熱槽は、貯留した蓄熱水と大気との界面部分の断面積を当該界面部分以外の部分の断面積よりも小さくするように構成している請求項２又は３に記載の蓄熱放熱システム。
【請求項５】
前記蓄熱水循環手段は、前記蓄熱槽の上部から蓄熱水を取り出して前記蓄熱槽の下部に蓄熱水を戻すように構成してあり、
前記運転制御手段は、前記供給状態切換手段を非供給状態に切り換えて前記熱供給装置の排熱を前記蓄熱槽に蓄熱する排熱蓄熱運転、及び、前記供給状態切換手段を供給状態又は非供給状態に切り換えて前記放熱用熱交換器にて蓄熱水を放熱させる放熱運転を行うように構成している請求項１〜４の何れか１項に記載の蓄熱放熱システム。
【請求項６】
前記運転制御手段は、前記放熱運転において、前記蓄熱槽から前記循環路に取り出す蓄熱水が補助加熱開始用温度以下になると、前記供給状態切換手段を供給状態に切り換えるとともに、前記補助加熱装置の運転を開始し、前記蓄熱槽から前記循環路に取り出す蓄熱水が補助加熱停止用温度以上になると、前記供給状態切換手段を非供給状態に切り換えるとともに、前記補助加熱装置の運転を停止するように構成している請求項５に記載の蓄熱放熱システム。
【請求項７】
前記補助加熱装置に、当該補助加熱装置を所定出力以上の出力にて運転させて低出力での運転を防止する低出力運転防止機能を備えさせている請求項５又は６に記載の蓄熱放熱システム。
【請求項８】
前記運転制御手段は、時系列的な電力負荷を管理し、電力負荷が増加する時間帯において前記蓄熱槽から前記循環路に取り出す蓄熱水が排熱蓄熱開始温度以下になると、前記排熱蓄熱運転を行い、その排熱蓄熱運転中に電力負荷が減少すると、前記排熱熱交換器に供給する蓄熱水の流量を増加させるべく、前記蓄熱水循環手段を作動させるように構成している請求項５〜７の何れか１項に記載の蓄熱放熱システム。
【請求項９】
前記運転制御手段は、前記蓄熱槽の蓄熱量を所定の蓄熱量以上に維持すべく、前記排熱蓄熱運転を行うように構成している請求項５〜８の何れか１項に記載の蓄熱放熱システム。
【発明の詳細な説明】
【技術分野】
【０００１】
本発明は、蓄熱水を貯留する蓄熱槽と、その蓄熱槽から取り出した蓄熱水を循環路にて循環させて蓄熱槽に戻す蓄熱水循環手段と、熱供給装置の排熱を搬送する排熱搬送流体にて前記循環路を通流する蓄熱水を加熱する排熱熱交換器と、その排熱熱交換器を通過した後の蓄熱水を放熱させる放熱用熱交換器とを設けている蓄熱放熱システムに関する。
【背景技術】
【０００２】
上記のような蓄熱放熱システムでは、排熱熱交換器にて蓄熱水と排熱搬送流体との熱交換により蓄熱水を加熱し、その加熱した蓄熱水を蓄熱槽に戻すことにより熱供給装置の排熱を蓄熱槽に蓄熱する。蓄熱槽の蓄熱水や排熱熱交換器にて加熱した蓄熱水を放熱用熱交換器に供給して蓄熱水を放熱し、その放熱した熱を給湯や暖房等に利用するようにしている。このように、給湯や暖房等を行うに当り、熱供給装置の排熱を利用することによりエネルギー効率の向上を図っている。
【０００３】
放熱用熱交換器に蓄熱水を供給するに当り、放熱用熱交換器での放熱を適正に行うために、放熱用熱交換器にて要求されている温度の蓄熱水を供給することが求められる。しかしながら、蓄熱槽の蓄熱水が要求されている温度に満たない、或いは、排熱熱交換器にて加熱しても要求されている温度に満たない場合もある。そこで、従来の蓄熱放熱システムでは、排熱熱交換器を通過した後の蓄熱水を加熱する補助加熱装置を設け、蓄熱水循環手段が、蓄熱槽から循環路に取り出した蓄熱水の全量を、排熱熱交換器、補助加熱装置、放熱用熱交換器に順次供給するように構成している。補助加熱装置が放熱用熱交換器にて要求されている温度に蓄熱水を加熱し、その加熱した蓄熱水を放熱用熱交換器に供給するようにしている（例えば、特許文献１参照。）。
【０００４】
【特許文献１】特開２００４−２６４０１１号公報
【発明の開示】
【発明が解決しようとする課題】
【０００５】
上記のような蓄熱放熱システムでは、排熱熱交換器、放熱用熱交換器、補助加熱装置、及び、蓄熱水循環手段等の各種機器を収納体に収納し、通常、その収納体を屋外に設置している。その為に、例えば、冬季等には各機器での放熱量が大きくなって放熱ロスが大きくなるので、この放熱ロスを抑制することが求められる。
【０００６】
放熱ロスを抑制するために、全ての機器の夫々を断熱材にて覆われた断熱空間に収納させる等によって、全ての機器を断熱材にて放熱を抑制する断熱空間に収納させて断熱状態で設けることが考えられる。しかしながら、全ての機器の夫々を断熱空間に収納させるのは、作業面及びコスト面での負担が重くなる。また、補助加熱装置として、例えば、ガスバーナの燃焼により蓄熱水を加熱する燃焼式のものを適応した場合には、燃焼用空気の吸気及び燃焼ガスの排気を行えるようにしながら、補助加熱装置を断熱空間に収納させる必要があり、補助加熱装置を断熱状態で設けることは難しい。
【０００７】
そこで、補助加熱装置は、放熱を許容する非断熱状態にて設け、その他の機器については断熱空間に収納させて断熱状態で設けることが考えられるが、下記のような問題が生じる。
上記従来の蓄熱放熱システムでは、補助加熱装置にて蓄熱水を加熱しないときにも、蓄熱水循環手段が、蓄熱槽から循環路に取り出した蓄熱水の全量を、排熱熱交換器、補助加熱装置、放熱用熱交換器に順次供給する。したがって、熱供給装置の排熱を蓄熱槽に蓄熱する場合や放熱用熱交換器にて蓄熱水を放熱する場合にも、補助加熱装置にて蓄熱水が放熱して放熱ロスが大きくなってしまう。
【０００８】
ちなみに、特許文献１に記載の蓄熱放熱システムでは、過去の１日のどの時間帯にどれだけの熱負荷を使用したのかの実績熱負荷に基づいて、将来の１日のどの時間帯にどれだけの熱負荷が必要であるかの予測熱負荷を求め、その予測熱負荷を満たすように蓄熱槽に蓄熱している。このように、必要と予測された熱量だけを蓄熱槽に貯めておくことにより、必要以上に蓄熱槽に熱量を貯めないようにすることができ、放熱ロスを抑制することができる。しかしながら、給湯や暖房を使用する時間帯や給湯や暖房に必要となる熱量は日々変化するので、必要熱量に対して予測熱負荷が不足したり、逆に、過剰になってしまうことがある。予測熱負荷が不足した場合には、補助加熱装置を運転させて蓄熱水を加熱することになるので、熱供給装置の排熱を有効に利用できず、エネルギー効率が低下する可能性がある。予測熱負荷が過剰になった場合には、必要以上の熱量を蓄熱槽に貯えることになり、その熱を無駄に放熱することとなって、エネルギー効率が低下する可能性がある。
【０００９】
本発明は、かかる点に着目してなされたものであり、その目的は、各機器を断熱する際の作業面及びコスト面の軽減を図りながら、放熱ロスを抑えることができる蓄熱放熱システムを提供する点にある。
【課題を解決するための手段】
【００１０】
この目的を達成するために、本発明に係る蓄熱放熱システムの特徴構成は、蓄熱水を貯留する蓄熱槽と、その蓄熱槽から取り出した蓄熱水を循環路にて循環させて蓄熱槽に戻す蓄熱水循環手段と、熱供給装置の排熱を搬送する排熱搬送流体にて前記循環路を通流する蓄熱水を加熱する排熱熱交換器と、その排熱熱交換器を通過した後の蓄熱水を放熱させる放熱用熱交換器とを設けている蓄熱放熱システムであって、前記蓄熱槽から前記循環路に取り出した蓄熱水を前記排熱熱交換器をバイパスさせて前記放熱用熱交換器に供給する排熱熱交換器バイパス路と、その排熱熱交換器バイパス路に蓄熱水を供給する供給状態と供給しない非供給状態とに切換自在な供給状態切換手段と、前記排熱熱交換器バイパス路を通流する蓄熱水を加熱する補助加熱装置と、前記供給状態切換手段を供給状態と非供給状態とに切り換えて蓄熱水の循環状態を制御するとともに、前記補助加熱装置の運転を制御する運転制御手段とを設け、前記補助加熱装置は、放熱を許容する非断熱状態にて設けてあり、前記蓄熱槽、前記循環路、前記蓄熱水循環手段、前記排熱熱交換器、及び、前記放熱用熱交換器は、断熱材にて放熱を抑制する断熱空間内に収納されて断熱状態にて設けている点にある。
【００１１】
本構成によれば、蓄熱槽、循環路、蓄熱水循環手段、排熱熱交換器、及び、放熱用熱交換器は断熱空間内に収納されて断熱状態で設けるものの、補助加熱装置を非断熱状態にて設けるので、全ての機器を断熱空間内に収納させて断熱状態で設ける必要がなく、作業面及びコスト面での負担を軽減できる。しかも、非断熱状態で設けるのが補助加熱装置であるので、例えば、補助加熱装置として燃焼式のものを用いた場合でも、燃焼用空気の吸気及び燃焼ガスの排気を行えるようにしながら補助加熱装置を断熱空間内に収納させる必要がなく、作業面及びコスト面での負担の軽減を効果的に図ることができる。また、各機器をつなぐ配管等も含めて断熱空間内に収納して断熱できるので、放熱ロスを従来よりも格段に抑制することができる。
運転制御手段が、供給状態切換手段を非供給状態に切り換えることにより、蓄熱槽から取り出した蓄熱水を補助加熱装置に供給することなく、排熱熱交換器、放熱用熱交換器に順次供給することができる。したがって、熱供給装置の排熱を蓄熱槽に蓄熱する場合や放熱用熱交換器にて蓄熱水を放熱する場合に、非断熱状態の補助加熱装置に蓄熱水を供給することがなく、放熱ロスを抑えることができる。
このようにして、各機器を断熱する際の作業面及びコスト面の軽減を図りながら、放熱ロスを抑えることが実現できることとなる。
【００１２】
本発明に係る蓄熱放熱システムの更なる特徴構成は、前記蓄熱槽は、上部を大気開放し且つ平面視で矩形状に形成してあり、前記断熱空間は、前記蓄熱槽の矩形状の短辺に対応する側面部に設け、前記断熱材は、前記蓄熱槽及び前記断熱空間の外周部を覆う状態で設けている点にある。
【００１３】
本構成によれば、蓄熱槽を、強い強度が要求される密閉型とするのではなく、上部を大気開放した大気開放型とするので、構成の簡素化を図ることができるとともに、蓄熱槽の形状も平面視で矩形状の単純な形状として、製作の容易化を図ることができる。蓄熱槽、循環路、蓄熱水循環手段、排熱熱交換器、及び、放熱用熱交換器を断熱状態で設けるに当り、蓄熱槽も断熱空間も平面視で矩形状の単純な形状であるので、蓄熱槽及び断熱空間の外周部を断熱材で覆うという単純な作業だけでよく、作業面の負担の低減を効果的に図れる。しかも、断熱空間は、蓄熱槽の矩形状の短辺に対応する側面部に設けているので、蓄熱槽の矩形状の長辺に対応する側面部に設けるよりも、蓄熱槽と断熱空間とが対向する面積を小さくでき、蓄熱槽と断熱空間との間での放熱ロスを低減できる。
【００１４】
本発明に係る蓄熱放熱システムの更なる特徴構成は、前記補助加熱装置と前記断熱空間とは、前記蓄熱槽の矩形状の短辺に対応する側面部において上下方向に並ぶ状態で配置されている点にある。
【００１５】
本構成によれば、蓄熱槽の矩形状の短辺に対応する側面部におけるスペースを有効に活用しながら、補助加熱装置と断熱空間とを上下に並べてコンパクトに配置できる。したがって、蓄熱放熱システムとして、設置スペースのコンパクト化を図ることができる。
【００１６】
本発明に係る蓄熱放熱システムの更なる特徴構成は、前記蓄熱槽は、貯留した蓄熱水と大気との界面部分の面積を当該界面部分以外の部分の断面積よりも小さくするように構成している点にある。
【００１７】
本構成によれば、蓄熱槽において、蓄熱水と大気との界面部分の面積を小さくすることにより、蓄熱水の蒸発を抑えることができる。したがって、蓄熱槽における蓄熱水の蒸発による放熱ロスを抑制できる。
【００１８】
本発明に係る蓄熱放熱システムの更なる特徴構成は、前記蓄熱水循環手段が、前記蓄熱槽の上部から蓄熱水を取り出して前記蓄熱槽の下部に蓄熱水を戻すように構成してあり、前記運転制御手段が、前記供給状態切換手段を非供給状態に切り換えて前記熱供給装置の排熱を前記蓄熱槽に蓄熱する排熱蓄熱運転、及び、前記供給状態切換手段を供給状態又は非供給状態に切り換えて前記放熱用熱交換器にて蓄熱水を放熱させる放熱運転を行うように構成している点にある。
【００１９】
本構成によれば、運転制御手段が排熱蓄熱運転を行うことにより、蓄熱槽の上部から取り出した蓄熱水を排熱熱交換器にて加熱し、加熱した高温の蓄熱水を蓄熱槽の下部に戻すことによって、蓄熱槽に貯留している蓄熱水を全体的に温度上昇させながら蓄熱できる。したがって、蓄熱槽の蓄熱量を管理するに当り、蓄熱槽の側面部の複数箇所（例えば５箇所）の夫々に温度センサを設けなくても、例えば１箇所に温度センサを設けるだけでよく、蓄熱量の管理を容易に且つ簡易に行える。しかも、排熱蓄熱運転では、運転制御手段が供給状態切換手段を非供給状態に切り換えるので、補助加熱装置に蓄熱水を供給せず、放熱ロスを抑制しながら蓄熱槽への蓄熱を行うことができる。
放熱運転では、補助加熱装置にて蓄熱水を加熱しなければ放熱用熱交換器にて要求されている温度の蓄熱水を供給できないときに、運転制御手段が供給状態切換手段を供給状態に切り換えることにより、補助加熱装置にて蓄熱水を加熱して放熱用熱交換器にて要求されている温度の蓄熱水を供給できる。逆に、補助加熱装置にて蓄熱水を加熱しなくても放熱用熱交換器にて要求されている温度の蓄熱水を供給できるときには、運転制御手段が供給状態切換手段を非供給状態に切り換えることにより、補助加熱装置に蓄熱水を供給せず放熱ロスを抑制できる。
【００２０】
本発明に係る蓄熱放熱システムの更なる特徴構成は、前記運転制御手段は、前記放熱運転において、前記蓄熱槽から前記循環路に取り出す蓄熱水が補助加熱開始用温度以下になると、前記供給状態切換手段を供給状態に切り換えるとともに、前記補助加熱装置の運転を開始し、前記蓄熱槽から前記循環路に取り出す蓄熱水が補助加熱停止用温度以上になると、前記供給状態切換手段を非供給状態に切り換えるとともに、前記補助加熱装置の運転を停止するように構成している点にある。
【００２１】
例えば、蓄熱槽から循環路に取り出す蓄熱水の温度が低いときには、補助加熱装置にて蓄熱水を加熱しなければ、放熱用熱交換器にて要求されている温度の蓄熱水を供給できない。逆に、蓄熱槽から循環路に取り出す蓄熱水の温度が高いときには、補助加熱装置にて蓄熱水を加熱しなくても、放熱用熱交換器にて要求されている温度の蓄熱水を供給できる。このように、放熱用熱交換器にて要求されている温度の蓄熱水を供給するために補助加熱装置にて蓄熱水を加熱すべきかどうかは、蓄熱槽から循環路に取り出す蓄熱水の温度によって決めることができる。このことを利用して、供給状態切換手段を供給状態に切り換えて補助加熱装置の定格出力での運転を開始する条件を、蓄熱槽から循環路に取り出す蓄熱水が補助加熱開始用温度以下となることとし、供給状態切換手段を非供給状態に切り換えて補助加熱装置の運転を停止する条件を、蓄熱槽から前記循環路に取り出す蓄熱水が補助加熱停止用温度以上となることとしている。したがって、補助加熱装置にて蓄熱水を加熱すべきときには補助加熱装置にて蓄熱水を加熱し、補助加熱装置にて蓄熱水を加熱しなくてもよいときには補助加熱装置に蓄熱水を供給せずに放熱ロスを抑制できる。
【００２２】
本発明に係る蓄熱放熱システムの更なる特徴構成は、前記補助加熱装置に、当該補助加熱装置を所定出力以上の出力にて運転させて低出力での運転を防止する低出力運転防止機能を備えさせている点にある。
【００２３】
補助加熱装置を運転させるに当り、例えば、燃焼式のものでは、低出力での運転を行うと空気過剰となって、補助加熱装置自体の熱効率が低下する。そこで、本発明では、補助加熱装置に低出力運転防止機能を備えさせることにより、補助加熱装置側に流れる蓄熱水の流量を確保して、所定出力以上の出力にて補助加熱装置を運転させることにより、補助加熱装置自体の熱効率の低下を抑制でき、エネルギー効率の向上を図ることができる。しかも、所定出力以上の出力により補助加熱装置にて加熱した蓄熱水は、放熱用熱交換器に供給したのち蓄熱槽に戻される。したがって、補助加熱装置が発生する熱を、放熱用熱交換器にて給湯や暖房等の加熱に使うのみならず、蓄熱槽に蓄熱することもできる。その結果、熱供給装置の排熱だけでなく、補助加熱装置が発生する熱をも蓄熱しながら有効に活用して給湯や暖房等を行うことができ、より一層のエネルギー効率の向上を図ることができる。また、熱供給装置の排熱だけでなく、補助加熱装置が発生する熱をも蓄熱槽に蓄熱して、その蓄熱された熱の放熱を抑制できることから、蓄熱槽の蓄熱量をより多い熱量に保つことができる。したがって、例えば、給湯や暖房等を行う時点でそのために必要な蓄熱量を蓄熱槽に蓄熱しておくことができ、給湯や暖房等を行う時点よりも以前から蓄熱槽に蓄熱しておく必要がなくなる。
【００２４】
本発明に係る蓄熱放熱システムの更なる特徴構成は、前記運転制御手段は、時系列的な電力負荷を管理し、電力負荷が増加する時間帯において前記蓄熱槽から前記循環路に取り出す蓄熱水が排熱蓄熱開始温度以下になると、前記排熱蓄熱運転を行い、その排熱蓄熱運転中に電力負荷が減少すると、前記排熱熱交換器に供給する蓄熱水の流量を増加させるべく、前記蓄熱水循環手段を作動させるように構成している点にある。
【００２５】
例えば、熱供給装置として、熱と電力とを発生する熱電併給装置を用いた場合には、運転制御手段が、電力負荷が増加する時間帯において蓄熱槽から循環路に取り出す蓄熱水が排熱蓄熱開始温度以下になることにより排熱蓄熱運転を行うと、熱電併給装置が発生する電力を電力負荷に当てることができながら、熱電併給装置が発生する熱を蓄熱槽に蓄熱することができ、エネルギー効率の向上を図ることができる。さらに、本構成によれば、運転制御手段は、単に、排熱蓄熱運転を行うだけでなく、排熱蓄熱運転中に電力負荷が減少すると、排熱熱交換器に供給する蓄熱水の流量を増加させるように蓄熱水循環手段を作動させる。このように、排熱熱交換器に供給する蓄熱水の流量を増加させることによって、蓄熱槽に蓄熱していくスピードを速めることができ、蓄熱槽への蓄熱を早期に終了することができる。しかも、電力負荷の減少によって余剰となった電力を用いて、排熱熱交換器に供給する蓄熱水の流量を増加させるように蓄熱水循環手段を作動させることができるので、熱電併給装置が発生する電力をより有効に活用することができる。
【００２６】
本発明に係る蓄熱放熱システムの更なる特徴構成は、前記運転制御手段は、前記蓄熱槽の蓄熱量を所定の蓄熱量以上に維持すべく、前記排熱蓄熱運転を行うように構成している点にある。
【００２７】
本構成によれば、蓄熱槽の蓄熱量を所定の蓄熱量以上に維持することができるので、給湯や暖房等を行うときに、補助加熱装置にて蓄熱水を加熱しなくても放熱用熱交換器にて要求される温度の蓄熱水を供給することができる。そのために、補助加熱装置にて蓄熱水を加熱しなければ、放熱用熱交換器にて要求されている温度の蓄熱水を供給できない状態となるのを極力回避できる。したがって、補助加熱装置を極力運転させずに、熱供給装置の排熱を活用しながら給湯や暖房等を行うことができ、エネルギー効率の向上を効果的に図ることができる。
【発明を実施するための最良の形態】
【００２８】
本発明に係る蓄熱放熱システムの実施形態を図面に基づいて説明する。
この蓄熱放熱システムは、図１、図３及び図４に示すように、蓄熱水Ａ１としての水を貯留する蓄熱槽１と、その蓄熱槽１から取り出した蓄熱水Ａ１を循環路２にて循環させて蓄熱槽１に戻す蓄熱水循環手段３とを設けている。循環路２には、熱供給装置４の排熱を搬送する排熱搬送流体にて循環路２を通流する蓄熱水Ａ１を加熱する排熱熱交換器５、及び、その排熱熱交換器５を通過した後の蓄熱水Ａ１を放熱させる放熱用熱交換器６を設けている。
図１、図３及び図４では、流体の通流状態を太線及び矢印にて示している。図１、図３及び図４は、流体が通流する部分が異なるだけでその他の構成については同様の構成を示している。
【００２９】
熱供給装置４は、例えば、都市ガスを燃料とするガスエンジンや燃料電池を備えた熱電併給装置であり、排熱搬送流体としての熱源水Ａ２がガスエンジンや燃料電池での排熱を回収するように構成している。排熱熱交換器５と熱供給装置４との間で熱源水Ａ２を循環する熱源水循環路７を設け、この熱源水循環路７に熱源水膨張タンク８及び熱源水循環ポンプ９を設けている。
熱源水循環路７には、熱供給装置４から排熱熱交換器５に供給する熱源水Ａ２の流量を検出する熱源水流量センサ１１、熱供給装置４から排熱熱交換器５に供給する熱源水Ａ２の温度を検出する熱源水往き温度センサ１０、及び、排熱熱交換器５から熱供給装置４に戻す熱源水Ａ２の温度を検出する熱源水戻り温度センサ１２を設けている。
【００３０】
蓄熱槽１は、貯留している蓄熱水Ａ１の上面よりも高い位置に大気に通じる開口を有して上部を大気開放している。蓄熱槽１は、矩形筒状の下部部分１ａと矩形筒状の上部部分１ｂとから構成してあり、平面視で矩形状に形成している。蓄熱槽１は、貯留した蓄熱水Ａ１と大気との界面部分である上部部分１ｂの断面積を上部部分１ｂ以外の下部部分１ａの断面積よりも小さくするように構成している。このようにして、蓄熱水Ａ１の蒸発を抑制して放熱ロスを低減している。
【００３１】
蓄熱槽１及び熱源水膨張タンク８に蓄熱水Ａ１及び熱源水Ａ２としての水を補給するために、補給路１３及び補給弁１４ａ，１４ｂを設けている。蓄熱槽１及び熱源水膨張タンク８には、下限水位及び上限水位を検出する一対の水位センサ１５ａ，１５ｂを設けている。蓄熱槽１及び熱源水膨張タンク８では、水位センサ１５ａ，１５ｂにて水位が下限水位未満になったことを検出すると、補給弁１４ａ，１４ｂを開弁して補給路１３にて水を補給し、水位センサ１５ａ，１５ｂにて水位が上限水位になったことを検出すると、補給弁１４ａ，１４ｂを閉弁して補給路１３による水の補給を停止する。このようにして、蓄熱槽１及び熱源水膨張タンク８では、蓄熱水Ａ１及び熱源水Ａ２の水位を下限水位と上限水位との間に維持するようにしている。
【００３２】
循環路２は、蓄熱槽１の上部及び下部に接続してあり、蓄熱水循環手段３は、蓄熱槽１の上部から蓄熱水Ａ１を取り出して蓄熱槽１の下部に蓄熱水Ａ１を戻すように構成している。蓄熱槽１から循環路２に取り出した蓄熱水Ａ１を、排熱熱交換器５をバイパスさせて放熱用熱交換器６に供給する排熱熱交換器バイパス路１６を設けている。この排熱熱交換器バイパス路１６には、排熱熱交換器バイパス路１６に蓄熱水Ａ１を供給するか否か及びその流量を調整可能なバイパス路調整弁１７を設けている。
【００３３】
このバイパス路調整弁１７が、供給状態切換手段に相当する。バイパス路調整弁１７は、開弁状態となることにより排熱熱交換器バイパス路１６に蓄熱水Ａ１を供給する供給状態（例えば図４の太線部）と、閉弁状態となることにより排熱熱交換器バイパス路１６に蓄熱水Ａ１を供給しない非供給状態（例えば図１及び図３の太線部）とに切換自在に構成している。
【００３４】
排熱熱交換器バイパス路１６には、通流する蓄熱水Ａ１を加熱する補助加熱装置１９、補助加熱装置１９を通過した蓄熱水Ａ１の温度を検出する補助加熱温度センサ２０を設けている。補助加熱装置１９は、燃料ガス供給路２２にてガスバーナ２１に都市ガス等の燃料ガスを供給してガスバーナ２１を燃焼させ、定格出力にて蓄熱水Ａ１を加熱するように構成している。このように、補助加熱装置１９に、当該補助加熱装置１９を所定出力以上の出力にて運転させて低出力での運転を防止する低出力運転防止機能を備えさせている。補助加熱装置１９を運転させるに当り、例えば、低出力での運転を行うと空気過剰となって、補助加熱装置１９自体の熱効率が低下する。そこで、補助加熱装置１９側に流れる蓄熱水Ａ１の流量を確保して、熱効率の良好な定格出力にて補助加熱装置１９を運転させることにより、補助加熱装置１９自体の熱効率の低下を抑制できる。また、補助加熱装置１９は、単に、定格出力にて運転するように構成すればよいので、出力を調整するための構成を必要とせず、補助加熱装置１９を単純な構成とすることができる。
【００３５】
循環路２において蓄熱槽１の下部に蓄熱水Ａ１を戻す戻し部分２ａと蓄熱槽１の上部から蓄熱水Ａ１を取り出す取り出し部分２ｂとを接続する蓄熱槽バイパス路２３を設けている。循環路２において蓄熱槽バイパス路２３の分岐箇所には、蓄熱槽１の下部に戻す蓄熱水Ａ１の温度を検出する蓄熱槽戻し温度センサ２４を設けている。蓄熱槽バイパス路２３には、通流する蓄熱水Ａ１の流量を検出するバイパス流量センサ２５を設けている。
【００３６】
循環路２には、蓄熱水Ａ１の通流方向の上流側から、蓄熱槽１から取り出す蓄熱水Ａ１の温度を検出する第１蓄熱水温度センサ２６、循環路２の蓄熱水Ａ１と蓄熱槽バイパス路２３の蓄熱水Ａ１との混合比率を調整自在な混合調整弁２７、蓄熱水循環手段３としての蓄熱水循環ポンプ１８、通流する蓄熱水Ａ１の温度を検出する第２蓄熱水温度センサ２８、排熱熱交換器５に通流する蓄熱水Ａ１の流量を調整自在な第１蓄熱水流量調整弁２９、排熱熱交換器５、通流する蓄熱水Ａ１の温度を検出する第３蓄熱水温度センサ３０、放熱用熱交換器６としての給湯用熱交換器３１、給湯用熱交換器３１を通過する蓄熱水Ａ１の流量を検出する第２蓄熱水流量調整弁３２、蓄熱水戻し温度センサ２４、蓄熱槽１の下部に戻す蓄熱水Ａ１の流量を検出する蓄熱水戻し流量センサ５３を設けている。
【００３７】
給湯用熱交換器３１は、給水路３３から供給されて給湯路３４に供給する給湯用の給水Ａ３を蓄熱水Ａ１の放熱対象とするように構成している。給水路３３には、給湯用熱交換器２１に供給する給水温度を検出する給水温度センサ３５を設けている。給湯路３４には、給湯用の給水Ａ３の通流方向において上流側から、給湯用熱交換器３１を通過した後の給湯用の給水Ａ３の温度を検出する出口温度センサ３６、給湯路３４にて給湯する給湯量を検出する給湯量センサ３７、給湯路３４にて給湯する給湯温度を検出する給湯温度センサ３８、給湯路３４による給湯を行うか否かを調整する給湯調整弁３９を設けている。
給水路３３からの給湯用の給水Ａ３を、給湯用熱交換器３１をバイパスして給湯路３４に供給する給湯用バイパス路４０を設けている。給湯路３４において給湯用バイパス路４０の合流箇所には、給湯用熱交換器３１を通過した給湯用の給水Ａ３と給湯用バイパス路４０の給湯用の給水Ａ３との混合比率を調整自在な給湯混合調整弁４１を設けている。
【００３８】
放熱用熱交換器６として、給湯用熱交換器３１に加えて、風呂の浴槽Ｙとの間で循環される浴槽水Ａ４を蓄熱水Ａ１の放熱対象とする風呂用熱交換器４２を設けている。風呂用熱交換器４２は、循環路２から分岐した分岐流路部分２ｃに配置してあり、循環路２において給湯用熱交換器３１と並列状態で設けている。分岐流路部分２ｃには、風呂用熱交換器４２に蓄熱水Ａ１を供給するか否かを調整する蓄熱水調整弁４４を設けている。風呂用熱交換器４２は、詳細な図示は省略するが、浴槽水Ａ４を循環する浴槽水循環路４３と蓄熱水Ａ１を通流する循環路２の分岐流路部分２ｃとの一方を内側とし且つ他方を外側とする二重管式の熱交換器にて構成している。浴槽水循環路４３は、浴槽Ｙと接続してあり、浴槽水循環ポンプ４５、浴槽水Ａ４の温度を検出する浴槽水温度センサ４６が設けられている。
給湯路３４には、浴槽Ｙに温水を供給する湯張り路４７を分岐接続している。湯張り路４７は、浴槽水循環路４３に接続してあり、浴槽水循環路４３を用いて浴槽Ｙに温水を供給する。湯張り路４７には、浴槽Ｙに供給する温水の流量を検出する湯張り流量センサ４８、浴槽Ｙへの温水の供給を断続する湯張り弁４９、風呂逆止弁５０を設けている。
【００３９】
循環路２には、第３蓄熱水温度センサ３０の配設箇所から分岐して暖房用放熱器Ｄに蓄熱水Ａ１を供給する放熱用往き路５１を分岐接続してあり、暖房用放熱器Ｄに供給した蓄熱水Ａ１を給湯用熱交換器３１及び風呂用熱交換器４２よりも下流側に戻す放熱用戻り路５２を接続している。暖房用放熱器Ｄは、放熱用熱交換器６に相当し、例えば、放熱用往き路５１にて供給される蓄熱水Ａ１を放熱する床暖房パネルである。また、暖房用放熱器Ｄは、床暖房パネル以外に、浴室暖房装置等を適応することもできる。放熱用戻り路５２には、通流する蓄熱水Ａ１の流量を検出する放熱戻り流量センサ５４、放熱逆止弁５５、通流する蓄熱水Ａ１の温度を検出する放熱戻り温度センサ５６を設けている。
【００４０】
図２に示すように、この蓄熱放熱システムは、収納体５７に収納した状態で通常屋外に設置している。収納体５７は、矩形状の第１収納部５７ａと矩形状の第２収納部５７ｂと矩形状の第３収納部５７ｃとを組み合わせて矩形状に形成している。第１収納部５７ａは、蓄熱槽１及び熱源水膨張タンク８を収納している。第２収納部５７ｂは、循環路２、蓄熱水循環手段３、排熱熱交換器５、及び、放熱用熱交換器６等をユニットとし、そのユニットを収納している。第３収納部５７ｃは、補助加熱装置１９及び蓄熱放熱システムの運転を制御する運転制御装置６２を収納している。この運転制御装置６２が、運転制御手段に相当する。
【００４１】
第１収納部５７ａでは、熱源水膨張タンク８を、蓄熱槽１の下部部分１ａの上方で且つ蓄熱槽１の上部部分１ｂの矩形状の短辺に対応する側面部に配置している。第１収納部５７ａの側面部及び上面部の夫々に断熱材５８を設け、蓄熱槽１の外周部を覆う状態で断熱材５８を設けている。蓄熱槽１及び熱源水膨張タンク８は、断熱材５８にて蓄熱水Ａ１の放熱を抑制する断熱状態にて設けている。
【００４２】
第２収納部５７ｂは、第１収納部５７ａの矩形状の短辺に対応する側面部に配置してあり、第１収納部５７ａよりも高さが低くなるように形成している。第２収納部５７ｂの側面部及び上面部の夫々に断熱材５８を設け、第２収納部５７ｂの内部空間を断熱空間５９とし、この断熱空間５９を蓄熱槽１の矩形状の短辺に対応する側面部に設けている。循環路２、蓄熱水循環手段３、排熱熱交換器５、及び、放熱用熱交換器６等からなるユニットは、断熱材５８にて外周部が覆われた断熱空間５９において蓄熱水Ａ１の放熱を抑制する断熱状態にて設けている。
【００４３】
第３収納部５７ｃは、第１収納部５７ａの矩形状の短辺に対応する側面部において、第２収納部５７ｂの上方に配置している。第３収納部５７ｃには、断熱材５８が設けられておらず、補助加熱装置１９及び運転制御装置６２が放熱を許容する非断熱状態にて設けられている。第３収納部５７ｃの側面部には、補助加熱装置１９が燃焼用空気を吸気するための吸気口６０、及び、補助加熱装置１９の燃焼排ガスを排気するための排気口６１を設けている。
【００４４】
このように、蓄熱槽１の矩形状の短辺に対応する側面部におけるスペースを有効に活用しながら、循環路２、蓄熱水循環手段３、排熱熱交換器５、及び、放熱用熱交換器６等を配置する断熱空間５９と補助加熱装置１９とを上下に並べてコンパクトに配置している。しかも、蓄熱放熱システムを収納する収納体５７自体も平面視で矩形状に形成した薄型としているので、蓄熱放熱システムの設置スペースのコンパクト化を図ることができる。また、第１収納部５７ａ及び第２収納部５７ｂの側面部及び上面部の夫々に断熱材５８を設けるだけで、補助加熱装置１９及び運転制御装置６２以外の、蓄熱槽１、循環路２、蓄熱水循環手段３、排熱熱交換器５、及び、放熱用熱交換器６等の各機器を断熱状態で設けることができ、作業面及びコスト面での負担の軽減を図ることができる。
【００４５】
以下、図１、図３、図４に基づいて蓄熱放熱システムの運転について説明する。
運転制御装置６２は、熱源水Ａ２にて搬送される熱供給装置４の排熱を蓄熱槽１に蓄熱する排熱蓄熱運転、及び、放熱用熱交換器６にて蓄熱水Ａ１を放熱させる放熱運転を行うように構成されている。
【００４６】
（排熱蓄熱運転）
排熱蓄熱運転として、蓄熱槽１の蓄熱量を所定の蓄熱量以上に維持するように熱供給装置４の排熱を蓄熱槽１に蓄熱する第１排熱蓄熱運転と、排熱蓄熱開始条件が満たされると熱供給装置４の排熱の蓄熱槽１への蓄熱を開始し、排熱蓄熱停止条件が満たされると蓄熱槽１への蓄熱を停止する第２排熱蓄熱運転とがある。
【００４７】
第１排熱蓄熱運転について説明する。
運転制御装置６２は、現在の蓄熱量を逐次求めており、その求めた蓄熱量が設定下限蓄熱量（例えば満蓄熱量の２／３）以下になると、第１排熱蓄熱運転を開始し、その運転開始から排熱蓄熱運転継続時間（例えば１〜２時間）が経過すると、第１排熱蓄熱運転を停止する。
現在の蓄熱量については、例えば、運転制御装置６２は、初期蓄熱残量Ｃ１から、前回の蓄熱完了からの払い出し温水出力Ｃ２及び蓄熱槽１の放熱量Ｃ３を減算することにより、現在の蓄熱量を求めることができる。ここで、払い出し温水出力Ｃ２は、蓄熱槽１から払い出した温水の出力である。初期蓄熱残量Ｃ１については、例えば、下記〔数１〕を用いて求めることができ、払い出し温水出力Ｃ２については、例えば、下記〔数２〕を用いて求めることができ、蓄熱槽１の放熱量Ｃ３については、例えば、下記〔数３〕を用いて求めることができる。
【００４８】
〔数１〕
Ｃ１＝（Ｔ１−Ｔ２ｍｉｎ）×Ｖ／８６０
ただし、Ｃ１は初期蓄熱残量（ｋＷｈ）であり、Ｔ１は前回の排熱蓄熱運転完了時の第１蓄熱水温度センサの検出温度であり、Ｔ２ｍｉｎは、限定期間（例えば過去５日間）における蓄熱槽戻し温度センサ２４の最低検出温度であり、Ｖは蓄熱槽１の有効蓄熱水容量である。
【００４９】
〔数２〕
Ｃ２＝（Ｔ１−Ｔ２）×Ｆ×６０／８６０
ただし、Ｃ２は払い出し温水出力（ｋＷ）であり、Ｔ１は第１蓄熱水温度センサの検出温度であり、Ｔ２は蓄熱槽戻し温度センサ２４の検出温度であり、Ｆは蓄熱水戻し流量センサ５３の検出流量である。
【００５０】
〔数３〕
Ｃ３＝δＴｌｏｓｓ×Ｖ／８６０
ただし、Ｃ３は蓄熱槽１の放熱量（ｋＷ）であり、δＴｌｏｓｓは単位容量当りの蓄熱槽１の放熱量であり、Ｖは蓄熱槽１の有効蓄熱水容量である。
【００５１】
ちなみに、詳述はしないが、運転制御装置６２は、各温度センサ及び各流量センサの検出情報に基づいて、排熱熱交換器５における熱負荷、補助加熱装置１９における熱負荷、及び、給湯熱交換器３１における熱負荷等の各熱負荷も求めることができる。
【００５２】
図１に示すように、運転制御装置６２は、熱供給装置４を作動させ且つ熱源水循環ポンプ９を作動させて、排熱熱交換器５に熱源水Ａ２を供給するように構成している。運転制御装置６２は、第１蓄熱水流量調整弁２９及び第２蓄熱水流量調整弁３２を開弁させて蓄熱水循環ポンプ１８を作動させるとともに、バイパス路調整弁１７を閉弁状態として非供給状態に切り換えて、蓄熱槽１の上部から取り出した蓄熱水Ａ１を排熱熱交換器５に供給するように構成している。ここで、運転制御装置６２は、熱源水戻り温度センサ１２の検出温度が所定温度範囲（例えば７０℃±設定温度）内となるように、第１蓄熱水流量調整弁２９の開度及び蓄熱水循環ポンプ１８の回転速度を調整して排熱熱交換器５に供給する蓄熱水Ａ１の流量を調整する蓄熱水供給量制御を行うように構成している。
【００５３】
第２排熱蓄熱運転について説明する。
運転制御装置６２は、時系列的な電力負荷を管理しており、電力負荷が増加する時間帯（例えば早朝や夕方）において第１蓄熱水温度センサ２６の検出温度（蓄熱槽１から循環路２に取り出す蓄熱水Ａ１の温度）が排熱蓄熱開始温度以下となると、排熱蓄熱開始条件が満たされたとして、第２排熱蓄熱運転を開始し、第１蓄熱水温度センサ２６の検出温度が排熱蓄熱停止温度以上となると、排熱蓄熱停止条件が満たされたとして、第２排熱蓄熱運転を停止する。排熱蓄熱開始温度は、例えば、冬季には６３℃、中間季には５８℃、夏季には５５℃と設定することができる。排熱蓄熱停止温度は、例えば、冬季には７０℃、中間季には６５℃、夏季には６０℃と設定することができる。
【００５４】
運転制御装置６２は、例えば、実際に使用された１日の各時間帯（１時間ごと）の電力負荷に基づいて、既に記憶している１日の各時間帯（１時間ごと）の電力負荷を更新して、１日の各時間帯（１時間ごと）の電力負荷に区分けした状態で時系列的な電力負荷を管理している。電力負荷については、例えば、運転制御装置６２が、熱供給装置４としての熱電併給装置の電力を出力するインバータの出力値、及び、テレビ、冷蔵庫、洗濯機等の電力負荷に接続された商業用電力供給ラインに設けられた電力計測手段の計測情報に基づいて、実際に使用された電力負荷を求めることができる。
【００５５】
第２蓄熱排熱運転における蓄熱水Ａ１及び熱源水Ａ２の通流状態は、上述の第１蓄熱排熱運転と同様で、図１に示す状態となる。運転制御装置６２は、蓄熱水供給量制御に代えて、例えば、第１蓄熱水流量調整弁２９の開度を所定開度とし且つ蓄熱水循環ポンプ１８の回転速度を所定回転速度に調整するように構成している。そして、運転制御装置６２は、第２蓄熱排熱運転中に現在の電力負荷が減少すると、排熱熱交換器５に供給する蓄熱水Ａ１の流量を増加させるべく、蓄熱水循環手段３としての蓄熱水循環ポンプ１８を作動させる。つまり、運転制御装置６２は、例えば、蓄熱水循環ポンプ１８の回転速度を最大回転速度に調整して、排熱熱交換器５に供給する蓄熱水Ａ１の流量を増大させるように構成している。蓄熱水循環ポンプ１８の回転速度を増大させることによって、蓄熱槽１に蓄熱していくスピードを速めることができ、蓄熱槽１への蓄熱を早期に終了することができる。現在の電力負荷が減少すると、熱供給装置４としての熱電併給装置が出力する電力が電力負荷に対して余剰となる。そこで、余剰となった電力を用いて蓄熱水循環ポンプ１８の回転速度を増大させることができる。したがって、余剰となる電力を有効に活用しながら、蓄熱槽１に蓄熱していくスピードを速めることができる。
【００５６】
（放熱運転）
運転制御装置６２は、放熱運転として、給湯用熱交換器３１にて蓄熱水Ａ１を放熱させる給湯運転を行うように構成されている。
運転制御装置６２は、放熱運転において、第１蓄熱水温度センサ２６の検出温度が補助加熱開始用温度（例えば５５℃）よりも高いと、補助加熱装置１９にて蓄熱水Ａ１を加熱せずに給湯用熱交換器３１に蓄熱水Ａ１を供給するように構成している。
【００５７】
図３に示すように、運転制御装置６２は、第１蓄熱水流量調整弁２９及び第２蓄熱水流量調整弁３２を開弁させて蓄熱水循環ポンプ１８を作動させるとともに、バイパス路調整弁１７を閉弁状態として非供給状態に切り換えて、蓄熱槽１の上部から取り出した蓄熱水Ａ１を給湯用熱交換器３１に供給するように構成している。また、運転制御装置５２は、給湯調整弁３９を開弁状態として出口温度センサ３６の検出温度が給湯設定温度＋αになるように、第２蓄熱水流量調整弁３２の開度を調整するとともに、給湯量センサ３７の検出流量が要求されている給湯量となり且つ給湯温度センサ３８の検出温度が給湯設定温度になるように、給湯混合調整弁４１における混合比率を調整するように構成している。
この場合に、運転制御装置６２は、熱供給装置４を作動させ且つ熱源水循環ポンプ９を作動させて、排熱熱交換器５に熱源水Ａ２を供給してもよい（図１の太線部参照）。このときには、蓄熱槽１の上部から取り出された蓄熱水Ａ１が排熱熱交換器５にて加熱されたのち給湯用熱交換器３１に供給される。
【００５８】
運転制御装置６２は、放熱運転において、蓄熱槽１から循環路２に取り出す蓄熱水が補助加熱開始用温度（例えば５５℃）以下であると、バイパス路調整弁１７を開弁状態として供給状態に切り換えるとともに、補助加熱装置１９の運転を開始し、蓄熱槽１から循環路２に取り出す蓄熱水が補助加熱停止用温度（例えば５８℃）以上になると、バイパス路調整弁１７を閉弁状態として非供給状態に切り換えるとともに、補助加熱装置１９の運転を停止するように構成している。
【００５９】
すなわち、運転制御装置６２は、第１蓄熱水温度センサ２６の検出温度が補助加熱開始用温度（例えば５５℃）以下であると、図４に示すように、第１蓄熱水流量調整弁２９を閉弁し且つバイパス路調整弁１７を開弁状態として供給状態に切り換えて、蓄熱槽１の上部から取り出した蓄熱水Ａ１を補助加熱装置１９に供給するように構成している。運転制御装置６２は、燃料ガス供給路２２にてガスバーナ２１への燃料ガスの供給を開始し、補助加熱装置１９の定格出力での運転を開始する。このようにして、蓄熱槽１の上部から取り出した蓄熱水Ａ１を補助加熱装置１９にて加熱し、その加熱した蓄熱水Ａ１を給湯用熱交換器３１に供給するようにしている。このときの給水路３３及び給湯路３４における給湯用の給水Ａ３の通流状態は、図３に示したものと同様である。
【００６０】
所定出力以上の出力により補助加熱装置１９にて加熱した蓄熱水Ａ１は、給湯用熱交換器３１に供給したのち蓄熱槽１の下部に戻される。したがって、補助加熱装置１９が発生する熱を、給湯の加熱に使うのみならず、蓄熱槽１に蓄熱することもできる。その結果、熱供給装置４の排熱だけでなく、補助加熱装置１９が発生する熱をも蓄熱しながら有効に活用して給湯や暖房等を行うことができ、より一層のエネルギー効率の向上を図ることができる。また、蓄熱槽１に蓄熱された熱の放熱を抑制できることから、蓄熱槽１の蓄熱量をより多い熱量に保つことができ、放熱運転を行う時点でそのために必要な蓄熱量を蓄熱槽１に蓄熱しておくことができ、放熱運転を行う時点よりも以前から蓄熱槽１に蓄熱しておく必要がなくなる。
【００６１】
運転制御装置６２は、第１蓄熱水温度センサ２６の検出温度が補助加熱停止用温度（例えば５８℃）以上になると、第１蓄熱水流量調整弁２９を開弁させ且つバイパス路調整弁１７を閉弁状態として非供給状態に切り換えるとともに、燃料ガス供給路２２によるガスバーナ２１への燃料ガスの供給を停止して補助加熱装置１９の運転を停止して、図３に示す通流状態に切り換える。
【００６２】
図４に示す通流状態において、運転制御装置６２は、給湯用熱交換器３１を通過して蓄熱槽１の下部に戻す蓄熱水Ａ１の一部を蓄熱槽バイパス路２３に供給すべく、混合調整弁２７における混合比率を調整するように構成している。このようにして、蓄熱槽１の上部から取り出した低温の蓄熱水Ａ１に蓄熱槽バイパス路２３の高温の蓄熱水Ａ１を混合することにより、補助加熱装置１９に供給する蓄熱水Ａ１の温度を上昇させるようにしている。このとき、運転制御装置６２は、補助加熱装置１９に供給する蓄熱水Ａ１の温度が所定範囲内になるように、混合調整弁２７における混合比率を調整するように構成している。
【００６３】
図４に示す通流状態においても、運転制御装置６２は、第１蓄熱水流量調整弁２９を開弁させるとともに、熱供給装置４を作動させ且つ熱源水循環ポンプ９を作動させて、排熱熱交換器５に熱源水Ａ２を供給してもよい。このときには、運転制御装置６２が、給湯用熱交換器３１に供給する蓄熱水Ａ１が所定温度範囲になるように、バイパス路調整弁１７及び第１蓄熱水流量調整弁２９の開度を調整するように構成している。
【００６４】
運転制御装置６２は、放熱運転として、給湯運転以外に、風呂用熱交換器４２にて蓄熱水Ａ１を浴槽Ｙとの間で循環される浴槽水Ａ４に放熱させる追焚き運転、及び、暖房用放熱器Ｄにて蓄熱水Ａ１を放熱させる暖房運転の夫々を行うように構成されている。
追焚き運転では、運転制御装置６２が、浴槽水循環ポンプ４５を作動させて、浴槽水Ａ４を浴槽Ｙと風呂用熱交換器４２との間で循環させる。蓄熱水Ａ１の通流状態については、運転制御装置６２が、第２蓄熱水流量調整弁３２を閉弁し且つ蓄熱水調整弁４４を開弁して、給湯用熱交換器３１には蓄熱水Ａ１を供給せず、風呂用熱交換器４２に蓄熱水Ａ１を供給するように構成している。このように、風呂用熱交換器４２にて蓄熱水Ａ１にて浴槽水Ａ４を加熱し、その加熱した浴槽水Ａを浴槽Ｙに供給することにより、浴槽水Ａ４の追焚きを行っている。
暖房運転では、運転制御装置６２が、第２蓄熱水流量調整弁３２及び蓄熱水調整弁４４を閉弁して、給湯用熱交換器３１及び風呂用熱交換器４２には蓄熱水Ａ１を供給せず、暖房用放熱器Ｄに蓄熱水Ａ１を供給するように構成している。このように、暖房用放熱器Ｄに蓄熱水Ａ１を供給して放熱するようにしている。
【００６５】
運転制御装置６２は、給湯運転、追焚き運転、暖房運転の夫々を単独で行うだけでなく、例えば、給湯運転と追焚き運転とを同時に行う等、給湯運転、追焚き運転、暖房運転の２つ及び全部を同時に行うこともできる。
【００６６】
〔別実施形態〕
（１）上記実施形態において、蓄熱槽１、補助加熱装置１９、排熱熱交換器５等の各機器をどのように配置して収納体５７に収納するかは適宜変更が可能である。
【００６７】
（２）上記実施形態において、蓄熱槽１の形状についてはどのような形状にするかは適宜変更が可能である。
【００６８】
（３）上記実施形態では、第１蓄熱水温度センサ２６を循環路２に設けているが、例えば、蓄熱槽１の上部に直接設置することも可能である。
【００６９】
（４）上記実施形態では、放熱用熱交換器６として、給湯用熱交換器３１、風呂用熱交換器４２、及び、暖房用放熱器Ｄの３つを設けているが、放熱用熱交換器６の数については適宜変更が可能である。
【００７０】
（５）上記実施形態では、給湯用熱交換器３１と風呂用熱交換器４２とを並列状態で設けているが、給湯用熱交換器３１と風呂用熱交換器４２とを直列状態で設けることもできる。
【産業上の利用可能性】
【００７１】
本発明は、蓄熱槽から取り出した蓄熱水を循環路にて循環させて蓄熱槽に戻す蓄熱水循環手段と、熱供給装置の排熱を搬送する排熱搬送流体にて循環路を通流する蓄熱水を加熱する排熱熱交換器と、その排熱熱交換器を通過した後の蓄熱水を放熱させる放熱用熱交換器とを設け、各機器を断熱する際の作業面及びコスト面の軽減を図りながら、放熱ロスを抑えることができる各種の蓄熱放熱システムに適応することができる。
【図面の簡単な説明】
【００７２】
【図１】排熱蓄熱運転における蓄熱放熱システムの状態を示す図
【図２】蓄熱放熱システムの設置状態を示す斜視図
【図３】放熱運転における蓄熱放熱システムの状態を示す図
【図４】放熱運転における蓄熱放熱システムの状態を示す図
【符号の説明】
【００７３】
１          蓄熱槽
２          循環路
３          蓄熱水循環手段
４          熱供給装置
５          排熱熱交換器
６          放熱用熱交換器
１６        排熱熱交換器バイパス路
１７        供給状態切換手段（バイパス路調整弁）
１９        補助加熱装置
５８        断熱材
５９        断熱空間
６２        運転制御手段（運転制御装置）
Ａ１        蓄熱水
Ａ２        排熱搬送流体（熱源水）
【図１】
0004933983.tif 000002
【図２】
0004933983.tif 000003
【図３】
0004933983.tif 000004
【図４】
0004933983.tif 000005